(57)【要約】【課題】車載用再生装置が外部メディアに対応する復号化手段を備えるか否かに関わらず外部メディアからの音声データの再生を可能とする車載用再生システムを提供する。【解決手段】車載用再生システム１に、所定の符号化形式により符号化された音声データ及びその符号化形式により符号化された音声データを復号化する復号化手段が格納された外部メディア３と、外部メディア３を挿着することにより外部メディア３と電気的に接続されるＵＳＢ端子７と、ＣＰＵ４ａ及びＲＡＭ４ｃを備えて構成され、ＣＰＵ４ａはＵＳＢ端子７に接続された外部メディア３から符号化された音声データ及び復号化手段を読み出してＲＡＭ４ｃに展開し、その復号化手段を実行することにより音声データを複合化して音声データの再生処理を行う制御部４とを備えて構成される車載用再生装置２と、を設ける。【選択図】図１
2007178646.tif 000002
【特許請求の範囲】
【請求項１】
所定の符号化形式により符号化された音声データ及びその符号化形式により符号化された音声データを復号化する復号化手段が格納された外部メディアと、
前記外部メディアを挿着することにより前記外部メディアと電気的に接続されるＵＳＢ端子と、前記ＵＳＢ端子に接続された前記外部メディアから符号化された音声データ及び前記復号化手段を読み出して展開し、その復号化手段を実行することにより前記音声データを複合化して音声データの再生処理を行う制御部とを備えて構成される車載用再生装置と、
を備えることを特徴とする車載用再生システム。
【請求項２】
前記制御部は、前記復号化手段を展開した後に前記ＵＳＢ端子に新たな外部メディアが挿着され、その新たな外部メディアに格納された音声データの符号化形式に前記復号化手段が対応していないと判断したときは、新たな外部メディアに格納された音声データの復号化処理を行うエリアを確保することができるか否かを判断し、前記エリアを確保できないと判断した場合は、展開されていた前記復号化手段を削除することを特徴とする請求項１記載の車載用再生システム。
【請求項３】
前記制御部は、前記復号化手段を展開した後にその復号化手段を読み出した前記外部メディアが前記ＵＳＢ端子から抜脱されると、展開されていた前記復号化手段を削除することを特徴とする請求項１記載の車載用再生システム。
【請求項４】
前記制御部は、前記復号化手段を展開した後に、新たに再生対象とする音声データの符号化形式に前記復号化手段が対応していないと判断したときは、展開されていた前記復号化手段を削除することを特徴とする請求項１記載の車載用再生システム。
【請求項５】
前記制御部は、前記復号化手段を展開した後に、再生対象である音声データの再生処理が終了したときは、展開されていた前記復号化手段を削除することを特徴とする請求項１記載の車載用再生システム。
【請求項６】
前記外部メディアは書き換え可能な記憶媒体であることを特徴とする請求項１〜請求項５いずれか一項に記載の車載用再生システム。
【発明の詳細な説明】
【技術分野】
【０００１】
本発明は車載用再生システムに関する。
【背景技術】
【０００２】
従来から、車載用再生装置として車載用ＣＤ・ＭＤプレーヤーなどが使用されている。これらの車載用再生装置では、市販のＣＤや家庭用コンポーネントステレオで録音したＭＤなどのメディアを車内に持ち込んで再生を行っていた。
【０００３】
このようなＣＤなどに格納された音声データを再生する再生装置には、圧縮復号化された音声データを復号化する復号化手段が設けられている。例えば、特許文献１には、圧縮符号化された音声データを読み取るデータ読取手段と、読み取ったデジタル信号に信号処理を施す信号処理手段と、信号処理を施した音声データを記憶する記憶手段と、圧縮符号化された音声データを複合化する復号化手段と、複合化された音声データをアナログ変換して音声信号を出力するＤ／Ａコンバータと、を備えた再生装置が記載されている。
【０００４】
一方、近年の録音技術の進歩により、音声データの音質の劣化を最小限に抑えて記録容量を圧縮するＭＰ３（MPEG-1 Audio Layer-3）、ＷＭＡ（Windows(登録商標) Media Audio）、ＡＡＣ（Advanced Audio Coding：登録商標）などの技術が開発されている。そこで、新たな音楽メディアとして、活線挿抜可能なＵＳＢメモリなどの種々の外部メディアが車載用再生装置に使用されている。
【０００５】
このように一つの再生装置に種々の外部メディアを使用する場合、外部メディアによって音声データの符号化形式が異なる場合があるため、再生装置はそれらの符号化形式に対応した復号化手段を備える必要があった。
【０００６】
また、種々の外部メディアに対応する復号化手段を備えていない場合、パーソナルコンピュータとして構成される再生装置では、インターネット上から所望の復号化手段をダウンロードすることが行われていた。
【０００７】
すなわち、図３に示すように、パーソナルコンピュータとして構成される再生装置に外部メディアが接続されると、再生装置は外部メディアのヘッダを解析し（ステップＳ１１）、その再生装置で解析可能なメディアであるか否かの判断を行って（ステップＳ１２）、解析可能な場合は音声データの再生処理を行っていた（ステップＳ１３）。一方、解析できないメディアであった場合は、インターネット上から復号化手段を取得することが可能であるか否かの判断を行い（ステップＳ１４）、取得可能な場合は復号化手段のダウンロードを行っていた（ステップＳ１５）。一方、取得不可能な場合は処理を終了していた。
【特許文献１】特開２００４−１７８６６５号公報
【発明の開示】
【発明が解決しようとする課題】
【０００８】
しかしながら、上記の再生装置では、種々の外部メディアに対応する復号化手段を備えていない場合は音声データの再生を行うことができず、また、通常、車載用再生装置はインターネットに接続不可能な環境に設置されるため、種々の外部メディアに対応する復号化手段をダウンロードすることができないという問題があった。
【０００９】
また、ソフトウェアのアップデートなどにより種々の外部メディアに対応する復号化手段を追加することも考えられるが、再生装置内の内蔵メモリ容量の制限から対応不可能な場合もあった。また、再生装置が備える復号化手段に替えて新たな復号化手段を設けた後で、元の復号化手段に対応したメディアからの再生を行いたい場合に、対応不可能となる場合があるという問題があった。
【００１０】
本発明は前記事情に鑑みてなされたものであり、その目的とするところは、車載用再生装置が種々の外部メディアに対応する復号化手段を備えるか否かに関わらず、外部メディアからの音声データの再生を可能とする車載用再生システムを提供することにある。
【課題を解決するための手段】
【００１１】
前記課題を解決するために請求項１に記載の発明は、車載用再生システムであって、所定の符号化形式により符号化された音声データ及びその符号化形式により符号化された音声データを復号化する復号化手段が格納された外部メディアと、前記外部メディアを挿着することにより前記外部メディアと電気的に接続されるＵＳＢ端子と、前記ＵＳＢ端子に接続された前記外部メディアから符号化された音声データ及び前記復号化手段を読み出して展開し、その復号化手段を実行することにより前記音声データを複合化して音声データの再生処理を行う制御部とを備えて構成される車載用再生装置と、を備えることを特徴とする。
【００１２】
請求項２記載の発明は、請求項１記載の車載用再生システムであって、前記制御部は、前記復号化手段を展開した後に前記ＵＳＢ端子に新たな外部メディアが挿着され、その新たな外部メディアに格納された音声データの符号化形式に前記復号化手段が対応していないと判断したときは、新たな外部メディアに格納された音声データの復号化処理を行うエリアを確保することができるか否かを判断し、前記エリアを確保できないと判断した場合は、展開されていた前記復号化手段を削除することを特徴とする。
【００１３】
請求項３記載の発明は、請求項１記載の車載用再生システムであって、前記制御部は、前記復号化手段を展開した後にその復号化手段を読み出した前記外部メディアが前記ＵＳＢ端子から抜脱されると、展開されていた前記復号化手段を削除することを特徴とする。
【００１４】
請求項４記載の発明は、請求項１記載の車載用再生システムであって、前記制御部は、前記復号化手段を展開した後に、新たに再生対象とする音声データの符号化形式に前記復号化手段が対応していないと判断したときは、展開されていた前記復号化手段を削除することを特徴とする。
【００１５】
請求項５記載の発明は、請求項１記載の車載用再生システムであって、前記制御部は、前記復号化手段を展開した後に、再生対象である音声データの再生処理が終了したときは、展開されていた前記復号化手段を削除することを特徴とする。
【００１６】
請求項６記載の発明は、請求項１〜請求項５いずれか一項に記載の車載用再生システムであって、前記外部メディアは書き換え可能な記憶媒体であることを特徴とする。
【発明の効果】
【００１７】
本発明に係る車載用再生システムによれば、車載用再生装置が種々の外部メディアに格納された音声データの符号化形式に応じた復号化手段を備えていない場合や、インターネット上から復号化手段をダウンロードすることが不可能な環境下にある場合に、車載用再生装置の制御部が外部メディアに格納された復号化手段を読み出して展開し、これを実行することによって、符号化音声データを復号化して再生処理を行うことが可能となる。これにより、車載用再生装置が種々の外部メディアに対応する復号化手段を備えるか否かに関わらず、車載用再生装置において外部メディアからの音声データを再生することが可能となる。
【発明を実施するための最良の形態】
【００１８】
以下、図面を参照しつつ、本発明の実施形態について説明する。
【００１９】
図１は、本実施形態の車載用再生システム１の全体構成を示すブロック図である。
【００２０】
図１に示すように、車載用再生システム１は車載用再生装置２及び外部メディア３を備えて構成されている。
【００２１】
車載用再生装置２は制御部４、表示部５、操作部６、ＵＳＢ端子７、ＣＤドライブ８、出力部９を備えて構成されている。
【００２２】
制御部４は、ＣＰＵ４ａ、ＲＯＭ４ｂ及びＲＡＭ４ｃを備えて構成されている。このうちＣＰＵ４ａは、ユーザの操作により操作部６から操作信号が送信されると、ＲＯＭ４ｂに記録されたオーディオプレーヤー用の各種制御プログラムやアプリケーションプログラムなどを読み出してＲＡＭ４ｃ内のプログラム格納領域に展開し、各種処理を実行して、この処理に際して生じる各種データをＲＡＭ４ｃ内に形成されるワークエリア（データ格納領域）に一時的に記憶させるようになっている。なお、本実施形態のＣＰＵ４ａの具体的構成については後述する。
【００２３】
ＲＯＭ４ｂは、ＣＰＵ４ａにより実行されるオーディオプレーヤー用の各種制御プログラムやその処理プログラムで処理されるデータなどを記憶するようになっている。
【００２４】
ＲＡＭ４ｃは、ＣＰＵ４ａが再生処理などの各種制御プログラムを実行する際に、図示しないプログラム格納領域にこれらのプログラムを展開するとともに、ＣＰＵ４ａがこれらの処理に際して読み取ったデータを図示しないデータ格納領域に格納するようになっている。
【００２５】
例えば、ＲＡＭ４ｃは、ＣＤドライブ８にディスクが装填されると、ディスクの最内周側の再生動作によって得られたＴＯＣ（Table Of Contents）情報を、データ格納領域に記録するようになっている。
【００２６】
表示部５は、ＬＣＤ（Liquid Crystal Display）などにより構成され、制御部４の制御に基づいて、所望の表示を行うようになっている。例えば、ＣＤドライブ８に装填されたディスク再生の進行時間、トラックナンバーなどのＴＯＣ情報や動作モードなどを表示するようになっている。
【００２７】
また、表示部５は、音声データ再生の際、音声データのタグ情報を構成する各項目をメニュー表示するようになっている。また、ユーザにより選択されたタグ情報項目に該当する情報内容を表示するようになっている。
【００２８】
操作部６は、再生キー、停止キー、カーソルキーなどの各種キーを備えて構成され、ユーザのキー操作による操作信号を制御部４に出力するようになっている。例えば、表示部５にタグ情報を構成する各項目がメニュー表示された際、ユーザによるカーソルキーの操作に応じて選択項目を表示設定する信号を制御部４に出力するようになっている。
【００２９】
ＵＳＢ端子７は、ＵＳＢメモリなどの外部メディア３を挿着することにより、その外部メディア３と電気的に接続され、外部メディア３に格納された符号化済み音声データを車載用再生装置２に読み出すことが可能となるように構成されている。
【００３０】
ＣＤドライブ８は、ＣＤ−ＲＯＭやＣＤ−ＴＥＸＴなどのディスクを装填することができるように構成されており、装填されたディスクを回転するスピンドルモータ、ディスクの信号を読む光ピックアップ、ディスクから読み出した信号を増幅し各種演算処理を施すＲＦアンプなどを備え、制御部４の制御により、読み出した信号を図示しないＤ／Ａ変換器及び増幅回路を介して出力部９から外部に出力するようになっている。
【００３１】
出力部９は、図示しないヘッドホン端子又は本体に内蔵されるスピーカなどを備えて構成されており、図示しない増幅回路で増幅された再生音声信号を外部に出力するようになっている。
【００３２】
次に、車載用再生システム１を構成する外部メディア３について説明する。
【００３３】
外部メディア３は、書き換え可能な記憶媒体であって、各メディアに応じた符号化形式によって符号化された音声データを格納するようになっている。この外部メディア３としては、ポータブルＨＤＤ、ＳＤカード又はメモリスティックなどを使用することが可能であるが、特に記録及び読み出しを容易に行うことができる記憶媒体が好ましく、本実施形態ではＵＳＢメモリを使用している。
【００３４】
また、外部メディア３は、車載用再生装置２のＵＳＢ端子７に挿着することにより、車載用再生装置２と電気的に接続し、外部メディア３に格納された符号化済み音声データを車載用再生装置２に読み出すことが可能となっている。
【００３５】
ここで、各メディアに応じた符号化手段には、ＭＰ３形式、ＷＭＡ形式、ＡＡＣ（登録商標）形式又はＡＴＲＡＣ３形式などが含まれる。
【００３６】
また、各外部メディア３には、その外部メディア３に格納された音声データの符号化形式に応じた復号化手段が格納されている。本実施形態では、外部メディア３に圧縮符号化手段及び復号化手段を兼ねるコーデックが格納されている。
【００３７】
このような復号化手段は、パーソナルコンピュータなどから外部メディア３に転送して格納しておくことが可能であり、上記のように、ＵＳＢメモリやポータブルＨＤＤなどの記録及び読み出しが容易な記憶媒体によって外部メディア３を構成することにより、外部メディア３への復号化手段の追加又は変更を容易に行うことが可能となる。
【００３８】
次に、本実施形態のＣＰＵ４ａの具体的構成について説明する。
【００３９】
ＣＰＵ４ａは、車載用再生装置２のＵＳＢ端子７又はＣＤドライブ８に外部メディア３が挿着又は装填されると、外部メディア３に格納された符号化音声データに付随するタグ情報の表示を行うタグ情報表示処理を行うようになっている。また、ＣＰＵ４ａは、符号化音声データに付随するタグ情報のヘッダを解析して、その車載用再生装置２が備える図示しない復号化手段によって解析可能なメディアであるか否かの判断を行うようになっている。
【００４０】
また、ＣＰＵ４ａは、ＵＳＢ端子７又はＣＤドライブ８に挿着又は装填された外部メディア３が図示しない復号化手段によって解析可能なメディアであると判断した場合は、その復号化手段により復号化処理を行った後、ＣＤドライブ８などを制御して音声データの再生処理を行うようになっている。
【００４１】
一方、解析不可能なメディアであった場合は、外部メディア３にそのメディアの符号化形式に応じた復号化手段としてのコーデックが格納されているか否かを判断するようになっている。
【００４２】
また、ＣＰＵ４ａは、外部メディア３に格納された音声データの符号化形式に応じたコーデックが格納されていると判断した場合は、外部メディア３から符号化音声データを読み出すと共に、コーデックを外部メディア３から読み出してＲＡＭ４ｃに展開するようになっている。そして、コーデックを実行することにより、外部メディア３から読み出した符号化音声データの復号化処理を行い、図示しないＤ／Ａ変換器及び増幅回路を介して出力部９から外部に出力するようになっている。
【００４３】
また、ＣＰＵ４ａは、音声データの再生処理を終えると、外部メディア３から次の符号化音声データを読み出す際に、現在ＲＡＭ４ｃに展開されているコーデックがその符号化形式に対応しているか否かを判断するようになっている。
【００４４】
その結果、現在ＲＡＭ４ｃに展開されているコーデックがその符号化形式に対応していると判断した場合は、そのコーデックを実行して復号化処理を行うようになっている。
【００４５】
一方、現在ＲＡＭ４ｃに展開されているコーデックがその符号化形式に対応していないと判断した場合、ＣＰＵ４ａは、ＲＡＭ４ｃにおいて新たな外部メディア３の音声データの復号化処理を行うエリアを確保することができるか否かを判断するようになっている。
【００４６】
その結果、復号化処理を行うエリアを確保することができると判断した場合は、新たにＵＳＢ端子７に挿着された外部メディア３からコーデックを読み出して復号化処理を行うようになっている。
【００４７】
一方、新たな外部メディア３について復号化処理を行うエリアを確保することができないと判断した場合は、現在ＲＡＭ４ｃに展開されているコーデックをＲＡＭ４ｃから削除して、新たにＵＳＢ端子７に挿着された外部メディア３からコーデックを読み出して復号化処理を行うようになっている。
【００４８】
また、ＣＰＵ４ａは、ＲＡＭ４ｃに復号化手段を展開した後に、その復号化手段を読み出した外部メディア３がＵＳＢ端子７から抜脱されると、ＲＡＭ４ｃに展開されていた復号化手段を削除する構成とすることも可能である。
【００４９】
また、ＣＰＵ４ａは、ＲＡＭ４ｃに復号化手段を展開した後に、新たに再生対象とする音声データの符号化形式に復号化手段が対応していないと判断したときは、ＲＡＭ４ｃに展開されていた復号化手段を削除する構成とすることも可能である。すなわち、一つの外部メディア３の中に複数の復号化手段が格納されている場合に、外部メディア３の挿抜に関係なく、音声データの符号化形式に応じて復号化手段を削除する構成とすることもできる。
【００５０】
また、ＣＰＵ４ａは、ＲＡＭ４ｃに復号化手段を展開した後に、再生対象である音声データの再生処理が終了したときは、ＲＡＭ４ｃに展開されていた復号化手段を削除する構成とすることも可能である。
【００５１】
次に、本実施形態に係る車載用再生システム１の動作について、図２のフローチャートを参照して説明する。
【００５２】
車載用再生装置２のＵＳＢ端子７に外部メディア３が挿着されると、制御部４のＣＰＵ４ａは外部メディア３のヘッダを解析し（ステップＳ１）、その車載用再生装置２が備える図示しない復号化手段によって解析可能なメディアであるか否かの判断を行う（ステップＳ２）。
【００５３】
その結果、その外部メディア３が図示しない復号化手段によって解析可能なメディアであると判断した場合は、ＣＰＵ４ａはその復号化手段により復号化処理を行った後、ＣＤドライブ８などを制御して音声データの再生処理を行う（ステップＳ３）。
【００５４】
一方、解析不可能なメディアであった場合は、ＣＰＵ４ａは、外部メディア３にそのメディアの符号化形式に応じた復号化手段としてのコーデックが格納されているか否かを判断する（ステップＳ４）。
【００５５】
その結果、所望のコーデックが格納されていると判断した場合は、ＣＰＵ４ａは外部メディア３から符号化音声データを読み出すと共に、コーデックを外部メディア３から読み出してＲＡＭ４ｃに展開する（ステップＳ５）。続いて、ＣＰＵ４ａはコーデックを実行することにより、外部メディア３から読み出した符号化音声データの復号化処理を行い（ステップＳ５）、図示しないＤ／Ａ変換器及び増幅回路を介して出力部９から外部に出力する（ステップＳ３）。
【００５６】
続いて、ＣＰＵ４ａは、音声データの再生処理を終えると、外部メディア３から次の符号化音声データを読み出す際に、現在ＲＡＭ４ｃに展開されているコーデックがその符号化形式に対応しているか否かを判断する。その結果、対応していると判断した場合は、ステップＳ５以下の処理を繰り返す。
【００５７】
一方、現在ＲＡＭ４ｃに展開されているコーデックがその符号化形式に対応していないと判断した場合は、ＣＰＵ４ａは、ＲＡＭ４ｃにおいて新たな外部メディア３の音声データの復号化処理を行うエリアを確保することができるか否かを判断する。
【００５８】
その結果、復号化処理を行うエリアを確保することができると判断した場合は、新たにＵＳＢ端子７に挿着された外部メディア３からコーデックを読み出して同様の再生処理を行う。
【００５９】
一方、新たな外部メディア３について復号化処理を行うエリアを確保することができないと判断した場合は、現在ＲＡＭ４ｃに展開されているコーデックをＲＡＭ４ｃから削除して、新たにＵＳＢ端子７に挿着された外部メディア３からコーデックを読み出して同様の再生処理を行う。
【００６０】
また、ＣＰＵ４ａは、ＲＡＭ４ｃに復号化手段を展開した後に、その復号化手段を読み出した外部メディア３がＵＳＢ端子７から抜脱されると、ＲＡＭ４ｃに展開されていた復号化手段を削除するようにしてもよい。
【００６１】
また、ＣＰＵ４ａは、ＲＡＭ４ｃに復号化手段を展開した後に、新たに再生対象とする音声データの符号化形式に復号化手段が対応していないと判断したときは、ＲＡＭ４ｃに展開されていた復号化手段を削除するようにしてもよい。
【００６２】
また、ＣＰＵ４ａは、ＲＡＭ４ｃに復号化手段を展開した後に、再生対象である音声データの再生処理が終了したときは、ＲＡＭ４ｃに展開されていた復号化手段を削除するようにしてもよい。
【００６３】
以上のように本実施形態に係る車載用再生システム１によれば、車載用再生装置２が種々の外部メディア３に格納された音声データの符号化形式に応じた復号化手段を備えていない場合や、インターネット上から復号化手段をダウンロードすることが不可能な環境下にある場合に、車載用再生装置２の制御部４が外部メディア３に格納された復号化手段を読み出して展開し、これを実行することによって、符号化音声データを復号化して再生処理を行うことが可能となる。これにより、車載用再生装置２が種々の外部メディア３に対応する復号化手段を備えるか否かに関わらず、車載用再生装置２において外部メディア３からの音声データを再生することが可能となる。
【００６４】
また、符号化音声ファイルの再生処理時に、外部メディア３から読み出した復号化手段を車載用再生装置２にインストールするのではなく、一時的にＲＡＭ４ｃに展開し、新たな外部メディア３に格納された音声データの復号化処理を行うエリアを確保することができないと判断した場合に限り、その復号化手段をＲＡＭ４ｃから削除することにより、限られたＲＡＭ４ｃ領域を有効に利用して外部メディア３に応じた復号化処理を行うことが可能となる。
【００６５】
また、外部メディア３として書き換え可能な記憶媒体を使用することにより、各メディアの符号化形式に応じて必要な復号化手段をパーソナルコンピュータから転送して格納しておくことが可能となる。
【００６６】
なお、本実施形態では外部メディア３としてＵＳＢメモリを使用する場合について説明したが、本発明の外部メディア３は、ＣＤ−ＲＯＭなどの記憶媒体によって構成することも可能である。この場合は、ＣＤ−ＲＯＭに符号化形式に応じた復号化手段を格納しておき、ＣＤ−ＲＯＭをＣＤドライブ８に装填した際に、制御部４のＣＰＵ４ａがＣＤ−ＲＯＭから復号化手段を読み出してＲＡＭ４ｃに展開することにより、上記と同様の再生処理を行う。
【００６７】
以上詳細に説明したように、本発明の車載用再生システムによれば、車載用再生装置が復号化手段を備えるか否かに関わらず、外部メディアからの音声データを再生することができる車載用再生システムを提供することが可能となる。
【図面の簡単な説明】
【００６８】
【図１】本実施形態に係る車載用再生システムの全体構成を示すブロック図である。
【図２】本実施形態に係る車載用再生システムの動作を表すフローチャートである。
【図３】従来の車載用再生システムの動作を表すフローチャートである。
【符号の説明】
【００６９】
１  車載用再生システム
２  車載用再生装置
３  外部メディア
４  制御部
４ａ  ＣＰＵ
４ｂ  ＲＯＭ
４ｃ  ＲＡＭ
５  表示部
６  操作部
７  ＵＳＢ端子
８  ＣＤドライブ
９  出力部
【図１】
2007178646.tif 000003
【図２】
2007178646.tif 000004
【図３】
2007178646.tif 000005